(57)【特許請求の範囲】
【請求項１】
毛の切断又は引き抜きを行うための体毛処理部を有する体毛処理装置と、肌の手入れ処理を行う処理剤を体毛処理部側に供給するための処理剤供給装置とを備えた体毛処理器具であって、上記処理剤供給装置は、処理剤を貯蔵する容器と、処理剤を肌や体毛処理装置に塗布する吐出部と、容器内の処理剤を吐出部に送出するための流路とを備えると共に、吐出部は体毛処理装置に対してフロート自在であり、処理剤を使用しない場合には少なくとも吐出部が肌に当たらないようにフロート下端の位置で仮保持されることを特徴とする体毛処理器具。
【請求項２】
吐出部は容器に対してフロート自在であることを特徴とする請求項１記載の体毛処理器具。
【請求項３】
流路の一部が伸縮自在であることを特徴とする請求項２記載の体毛処理器具。
【請求項４】
流路を形成する材料の一部が弾性体であることを特徴とする請求項３記載の体毛処理器具。
【請求項５】
流路を形成する材料の一部がフロート方向とは略垂直方向に屈曲可能であることを特徴とする請求項４記載の体毛処理器具。
【請求項６】
流路を形成する材料の一部の径が膨張可能であることを特徴とする請求項４記載の体毛処理器具。
【請求項７】
流路を形成する材料の一部が蛇腹形状であることを特徴とする請求項４記載の体毛処理器具。
【請求項８】
流路を形成する材料の一部における一端側の径が他端側の径よりも大きいことを特徴とする請求項４記載の体毛処理器具。
【請求項９】
吐出部を含む処理剤供給装置全体が体毛処理装置に対してフロート自在であることを特徴とする請求項１記載の体毛処理器具。
【請求項１０】
吐出部と容器とが一体で、体毛処理装置に対してフロート自在であることを特徴とする請求項１記載の体毛処理器具。
【請求項１１】
吐出部は肌に当たって押し下げられる肌当て部を有すると共に、肌当て部が押し下げられた時のみ流路を開にする栓体を有することを特徴とする請求項１記載の体毛処理器具。
【請求項１２】
処理剤を貯蔵する容器を加圧するための加圧手段を備えていることを特徴とする請求項１記載の体毛処理器具。
【請求項１３】
容器の吐出口と吐出部との間に処理剤を一時的に溜める空間が設けられ、容器の吐出口と空間との間、及び空間と吐出部との間に、処理剤が逆流するのを防止するための弁体を有することを特徴とする請求項１記載の体毛処理器具。
【請求項１４】
吐出部のフロートと連動して弁体が開閉することを特徴とする請求項１３記載の体毛処理器具。
【請求項１５】
吐出部の肌との接触面が凹凸を有することを特徴とする請求項１３又は１４記載の体毛処理器具。
【発明の詳細な説明】
【０００１】
【発明の属する技術分野】
本発明は、電気かみそりや脱毛装置等のような体の手入れをする体毛処理器具に関するものである。
【０００２】
【従来の技術】
この種の体毛処理器具の従来例として、例えば特表２０００−５０００５５号公報に示されているように、処理剤（流体）を吐出させるためのポンプと処理剤を収容する本体部とを有するシェーバーが知られている。この従来例ではダイヤフラムを押すことにより、器具の出口部に処理剤を圧送するものである。処理剤はシェービングへッドと使用者の皮膚との間の摩擦を減少させる作用をする。
【０００３】
また他の従来例として、実開昭５９−１０８５７４号公報には、タンク室とダイヤフラムとを有し、モータの駆動軸によりダイヤフラムを駆動して処理剤（流体）を吐出させることで、シェービング中に連続して処理剤を吐出させる構造のものが知られている。
【０００４】
【発明が解決しようとする課題】
ところが、前者の器具では、処理剤を吐出させる操作を使用者が行いながら、シェービングするものであるため、処理剤が肌に十分延びなかった時や、剃る部位を変えた時に、再度処理剤を出す操作をすることが必要となり、使い勝手が悪いという欠点がある。
【０００５】
また後者の器具では、シェバーヘッドが肌に当っていない時にも吐出し、無駄に処理剤を消費するので、非効率である。
【０００６】
本発明は、上記の従来例の問題点に鑑みて発明したものであって、その目的とするところは、処理剤を肌に均一に塗布できると共に、塗布時の肌当たりをなめらかにでき、さらに処理剤を効率的に送出することができる体毛処理器具を提供することにある。
【０００７】
【課題を解決するための手段】
上記課題を解決するために請求項１記載の発明にあっては、毛の切断又は引き抜きを行うための体毛処理部を有する体毛処理装置２と、肌の手入れ処理を行う処理剤を体毛処理部側に供給するための処理剤供給装置４とを備えた体毛処理器具であって、上記処理剤供給装置４は、処理剤を貯蔵する容器５と、処理剤を肌や体毛処理装置２に塗布する吐出部２７と、容器５内の処理剤を吐出部２７に送出するための流路７とを備えると共に、吐出部２７は体毛処理装置２に対してフロート自在であることを特徴としており、このように構成することで、体毛処理装置２の使用時には、処理剤供給装置４の吐出部２７と肌との密着性が向上することにより、処理剤を肌に均一に塗布できると共に、塗布時の肌当たりをなめらかにすることができる。
また処理剤を使用しない場合には少なくとも吐出部２７が肌に当たらないようにフロート下端の位置で仮保持されるので、処理剤を使用しない場合は、吐出部２７が肌に当たらないようになる。
【０００８】
また請求項２記載の発明は、請求項１において、吐出部２７は容器５に対してフロート自在であることを特徴とするのが好ましく、この場合、吐出部２７がフロートしても容器５が動かないため、容器５交換や容器保持、および容器５内の処理剤を絞り出す構造等が容易となる。
【０００９】
また請求項３記載の発明は、請求項２において、流路７の一部が伸縮自在であることを特徴とするのが好ましく、この場合、容器５に対して吐出部２７がフロートしても、流路７のシール状態を保つことができる。
【００１０】
また請求項４記載の発明は、請求項３において、流路７を形成する材料の一部が弾性体であることを特徴とするのが好ましく、この場合、多方向に吐出部２７がフロートしても弾性体が柔軟に追従できるようになる。
【００１１】
また請求項５記載の発明は、請求項４において、流路７を形成する材料の一部がフロート方向とは略垂直方向に屈曲可能であることを特徴とするのが好ましく、この場合、吐出部２７のフロートに対して、弾性体の追従性やシール性が向上する。
【００１２】
また請求項６記載の発明は、請求項４において、流路７を形成する材料の一部の径が膨張可能であることを特徴とするのが好ましい。
【００１３】
また請求項７記載の発明は、請求項４において、流路７を形成する材料の一部が蛇腹形状であることを特徴とするのが好ましい。
【００１４】
また請求項８記載の発明は、請求項４において、流路７を形成する材料の一部における一端側の径が他端側の径よりも大きいことを特徴とするのが好ましい。
【００１６】
また請求項９記載の発明は、請求項１において、吐出部２７を含む処理剤供給装置４全体が体毛処理装置２に対してフロート自在であることを特徴とするのが好ましく、この場合、吐出部２７と容器５間の流路７の変形を防止できる。
【００１７】
また請求項１０記載の発明は、請求項１において、吐出部２７と容器５とが一体で、体毛処理装置２に対してフロート自在であることを特徴とするのが好ましく、この場合、吐出部２７と容器５間の流路７の変形を防止できる。
【００１８】
また請求項１１記載の発明は、請求項１において、吐出部２７は肌に当たって押し下げられる肌当て部６を有すると共に、肌当て部６が押し下げられた時のみ流路７を開にする栓体８を有することを特徴とするのが好ましく、この場合、体毛処理装置２の使用時には、処理剤供給装置４の肌当て部６を肌に当てて押し下げるだけで、処理剤の流路７が開かれると共に、処理剤を効率良く使用できるようになる。
【００１９】
また請求項１２記載の発明は、請求項１において、処理剤を貯蔵する容器５を加圧するための加圧手段９を備えていることを特徴とするのが好ましく、この場合、容器５がどのような状態で使用されても加圧手段９によって処理剤を絞り出すことができる。
【００２０】
また請求項１３記載の発明は、請求項１において、容器５の吐出口５ａと吐出部２７との間に処理剤を一時的に溜める空間１０４（３２）が設けられ、容器５の吐出口５ａと空間１０４（３２）との間、及び空間１０４（３２）と吐出部２７との間に、処理剤が逆流するのを防止するための弁体１０５（１０７）を有することを特徴とするのが好ましく、この場合、体毛処理装置２の使用時には、弁体１０５（１０７）による逆流防止効果によって空間１０４（３２）内の処理剤を吐出部２７に導くことができ、容器５がどのような状態で使用されても、つまり、上向きや下向き又は横向きに使用されても、処理剤を供給することができる。
【００２１】
また請求項１４記載の発明は、請求項１３において、吐出部２７のフロートと連動して弁体１０５（１０７）が開閉することを特徴とするのが好ましく、この場合、器具の動作にあわせて処理剤が送出されるようになる。
【００２２】
また請求項１５記載の発明は、請求項１３又は１４において、吐出部２７の肌との接触面が凹凸を有することを特徴とするのが好ましく、この場合、肌により吐出部２７が閉じられて処理剤が吐出されにくくなるのを防止できる。
【００２３】
【発明の実施の形態】
以下、本発明を添付図面に示す実施形態に基づいて説明する。
【００２４】
本実施形態の体毛処理器具１は、電気かみそりや脱毛装置などからなる体毛処理装置２と、肌の手入れ処理を行う処理剤を体毛処理部３側に供給するための処理剤供給装置４とで構成されている。
【００２５】
体毛処理装置２としては、従来公知の電気かみそり２Ａ、又は従来公知の脱毛装置２Ｂが用いられる。図１〜図２７では、本発明に係る処理剤供給装置４を電気かみそり２Ａに取り付けた場合を示し、図２８、図２９では脱毛装置２Ｂに取り付けた場合を示している。
【００２６】
電気かみそり２Ａは、図１に示すように、毛の切断を行う体毛処理部３である刃ヘッド１２を備えている。本例では刃ヘッド１２は、外刃１４とこの外刃１４の下面に押し付けられ、内刃駆動子１６によって往復駆動する内刃１５とからなる一対のネット刃ブロック１７と、スリット外刃１８とこのスリット外刃１８の下面に押し付けられ、スリット駆動子２０によって往復駆動するスリット内刃１９とからなるスリット刃ブロック２１とで構成されており、スイッチ２２を入れると内蔵されているリニアモータ（図示せず）が駆動して内刃１５、スリット内刃１９をそれぞれ駆動することで、ネット刃ブロック１７とスリット刃ブロック２１とで毛を切断できるようになっている。なお、図１の例では刃ヘッド１２を３ヘッドとしたが、１ヘッド或いは２ヘッドであってもよいものである。
【００２７】
一方、脱毛装置２Ｂは、図２８に示すように、スイッチ２３により駆動する駆動モータ２４と、駆動モータ２４により駆動して毛の引き抜きを行う体毛処理部３である脱毛ヘッド１３とを備えている。脱毛ヘッド１３はその回転軸方向（図２８の紙面に対して略垂直方向）に複数の脱毛爪（図示せず）が並設されており、各脱毛爪が回転（或いは回動）しながら回転軸方向に駆動して、隣り合う脱毛爪同士が接触、離反することで、毛を挟持して引き抜くことができるようになっている。
【００２８】
上記電気かみそり２Ａ又は脱毛装置２Ｂに取り付けられる処理剤供給装置４の構造は共通している。以下、処理剤供給装置４を電気かみそり２Ａに取り付けた場合を例に挙げて説明する。
【００２９】
処理剤供給装置４は、肌の手入れ処理を行う処理剤を供給するためのものであり、図１に示すように、処理剤供給装置４の吐出部２７の先端には肌当て部６が配置され、吐出部２７の下方に処理剤を貯蔵する容器５が配置され、吐出部２７と容器５とが流路７を介して連結されていると共に、これら吐出部２７、容器５等がカバー２６にて覆われている。
【００３０】
処理剤としては、電気かみそり２Ａの刃ヘッド１２（脱毛装置２Ｂの場合は脱毛ヘッド１３）と使用者の皮膚との間の摩擦を減少させるためのものであり、例えばシェービングローションなどが使用される。もちろん、処理剤の種類は特に限定されない。
【００３１】
ここでは、上記肌当て部６は、図７に示すように、回転自在な球体６ａで構成されている。また本例では、複数の球体６ａが、断面逆Ｕ字状をした吐出部２７の上面部に設けた複数の穴部２８にそれぞれ回転自在に嵌め込まれている。穴部２８は、その上部の穴径ｄ１が球体６ａの外径Ｄよりも小さくなっていて、球体６ａが穴部２８の上方から抜け出るのが防止されている。また穴部２８の下部の穴径ｄ２は球体６ａの外径Ｄよりも若干大きくされ、球体６ａが肌に当たって押し下げられたときには球体６ａと穴部２８との間に隙間２９（図１０）が生じることで、球体６ａの回転により処理剤が徐々に供給されることとなり、処理剤を肌に均一に塗布できるようになっている。
【００３２】
また上記各球体６ａは、吐出部２７内に上下動自在に配置された支え板３０にて下方から支えられており、球体６ａが穴部２８の下方に抜け落ちるのが防止されている。支え板３０の上面には球体受け３１が設けられており、球体６ａが滑らかに回転できるようにしてある。支え板３０の下方には吐出部２７の下面を密封するための密封板９４が配置されており、この密封板９４と支え板３０との間には圧縮コイルバネからなる押上バネ１０が介在されている。そして、体毛処理時には図８に示すように、球体６ａが肌に当たって押上バネ１０のバネ力に抗して押し下げられることで、球体６ａと穴部２８との間の隙間２９から処理剤が供給されるようになり、肌から器具を離した時には、押上バネ１０によって支え板３０は上方に付勢され、これにより支え板３０が上記球体６ａを押し上げて、穴部２８が閉塞された状態（図９の状態）で保持されるようになる。
【００３３】
また、図１０に示すように、上記支え板３０の上下両側には、処理剤が流入できる空間３２，３３がそれぞれ設けられており、上側の空間３２が吐出部２７の穴部２８に連通していると共に、支え板３０の複数箇所には上下の空間３２，３３を互いに連通させる吐出孔３４が設けられている。さらに、密封板９４の下面中央から下方に向かって筒状部３５が突設されており、この筒状部３５の内側に上記下側の空間３３に連通する略垂直流路３６が形成されている。筒状部３５の下端にはゴム管２５（図３）の一端がシール状態で連結されており、ゴム管２５の他端は容器５の吐出口５ａ（図３）にシール状態で連結されている。そして、これらゴム管２５、略垂直流路３６、支え板３０の吐出孔３４、上下の空間３２，３３によって、容器５内に貯蔵した処理剤を穴部２８に向かってする送出するための流路７が構成されている。
【００３４】
上記流路７には、上記球体６ａからなる肌当て部６が押し下げられたときのみ流路７を開にする栓体８が設けられている。本例では栓体８は、筒状部３５の下端に対して接離可能に配置されていると共に、この栓体８と支え板３０とは筒状部３５の略垂直流路３６の内側から中央の押上バネ１０の内側を通る連結棒３７を介して互いに連結されている。通常は、図９に示すように、栓体８は筒状部３５の下端に押し付けられていて略垂直流路３６を閉塞しているが、肌当て部６が肌に当たって押し下げられると、図１０に示すように、支え板３０が下降し、支え板３０に連結棒３７を介して連結されている栓体８も一緒に下降して略垂直流路３６が開かれ、流路７が開放されるようになっている。また、肌当て部６を肌から離すと、押上バネ１０のバネ力で支え板３０が上昇し、支え板３０に連結されている栓体８も一緒に上昇して、栓体８が筒状部３５の下端に押し付けられた状態となる。ここでは、栓体８を閉じる方向は肌当て部６を押し上げる方向と同一方向（処理剤の送出方向）とされ、上記支え板３０と密封板９４との間に介在した押上バネ１０によって栓体８と肌当て部６とが同一方向に押圧されることで、肌当て部６と連動して栓体８が流路７を閉じる構造となっている。
【００３５】
上記処理剤を貯蔵する容器５は、加圧手段９にて加圧された状態でカバー２６内部に収納されている。本例の加圧手段９は、図１に示すように、カバー２６内に収納される板バネ３８と押さえ板３９とで構成されている。押さえ板３９はその下端部に設けたピン９１がカバー２６に設けたピン受け穴９０に枢支されており、押さえ板３９はピン９１を中心にカバー２６に接離する方向に回動自在となっている。この押さえ板３９の裏側には弓状に撓ませた状態で取り付けられており、板バネ３８の頂部が電気かみそり本体１１の外側面に弾接している。チューブ状の容器５をカバー２６の内面と押さえ板３９との間に配置することで、板バネ３８のバネ力によって容器５が加圧され、処理剤が絞り出されるようになっている。このような加圧手段９を設けることによって、処理剤供給装置４がどのような状態、つまり上向きや下向き又は横向きに使用されても、処理剤の吐出量が変化せず、処理剤を肌に均一に塗布できるものとなる。なお加圧手段９は省略可能であり、使用者が手で容器５を絞るようにしてもよいものである。
【００３６】
さらに、上記吐出部２７は、電気かみそり２Ａの刃ヘッド１２に対してフロート自在とされている。ここでは、図３に示すように、処理剤供給装置４のカバー２６の内面に、固定枠４０が取り付けられている。吐出部２７の両側面から突設したホルダーピン４１が、固定枠４０の両端部に形成した上下方向に長く延びた長孔４２内にスライド自在に嵌合しており、これにより吐出部２７は長孔４２に沿って上下動自在となっている。
【００３７】
ここで、固定枠４０はその両側の下端のみがカバー２６の内面に突設させた支持突起８１，８１にて支持されており、カバー２６の内面に取り付けた複数本（図３の例では左右２本）の板バネ８０が固定枠４０の背面を刃ヘッド１２側（図１の矢印Ｅで示す方向）に向かって押圧している。これにより、固定枠４０は図１に示すように、刃ヘッド１２に近接する方向に傾いた状態で保持され、この固定枠４０に固定される吐出部２７及び肌当て部６も同方向に傾くことで、肌当て部６からの処理剤を刃ヘッド１２の近くに排出できるようになっている。
【００３８】
さらに、吐出部２７の下面の密封板９４と固定枠４０の上面との間には、図７に示すように、フロートバネ４３が介在されており、吐出部２７は上方に向かってバネ付勢されている。図７に示す例では、固定枠４０の長孔４２の上半部が上方になる程刃ヘッド１２側に近接する方向に大きく傾斜した傾斜孔４２ａとなっており、長孔４２の下半部４２ｂはやや上向きとなっている。この長孔４２に嵌り込むホルダーピン４１の断面形状は、長孔４２の長手方向に沿った略長方形状とされ、ホルダーピン４１が上昇して傾斜孔４２ａに移動すると、傾斜孔４２ａの傾斜方向と同方向にホルダーピン４１が傾斜して、吐出部２７が刃ヘッド１２側に向けて傾いた姿勢（図７の状態）となり、これにより、肌当て部６が刃ヘッド１２に近い位置で肌に当たることとなり、肌当て部６と刃ヘッド１２との間隔が狭くなって肌当たりを良くすることができるものである。また肌当て部６が肌に当たって押し下げられると、ホルダーピン４１は長孔４２の下半部４２ｂ内に移動して吐出部２７はやや上向き姿勢（図８の状態）となる。つまり、吐出部２７が大きく傾いたままで下降すると刃ヘッド１２の外側面と接触するおそれがあるため、肌当て部６の下降時には吐出部２７を略上向き姿勢に戻すことで接触することなく、スムーズに下降させることができるようになる。
【００３９】
次に、上記処理剤供給装置４を電気かみそり本体１１に対して上下動自在に且つ着脱自在に取り付ける場合の例を図１〜図６に基づいて説明する。電気かみそり本体１１の一側面には、図１、図４に示すように、上下方向に延びる左右一対のレール４４，４５が突設されている。一方、処理剤供給装置４のカバー２６は、図５に示すように、略半筒状に形成され、カバー２６の一側端２６ａの中央側には一方のレール４４にスライド嵌合する凸部４６が突設されている。なおカバー２６の一側端２６ａのうち凸部４６以外の部分２６ｃは一方のレール４４には嵌合していない。カバー２６の他側端２６ｂにはその全長にわたって他方のレール４５にスライド嵌合する凸リブ４７が設けられている。図４に示すように、カバー２６の凸リブ４７及び凸部４６を左右のレール４４，４５にスライド嵌合させることで、カバー２６を含む処理剤供給装置４全体を電気かみそり本体１１に対して上下動自在に取り付けることができる。
【００４０】
また、上記一方のレール４４の一部には、図４に示すように、上下方向に間隔をあけて一対のクリック係止部４８，４９が突設されており、カバー２６の一側端２６ａの凸部４６の中央には上記一対のクリック係止部４８，４９の一方に係止可能な係止爪５０が突設されている。体毛処理を行う時は、カバー２６を上方にスライドさせると係止爪５０が上側のクリック係止部４８に係止してカバー２６の動きが止められ、図１に示すように、処理剤供給装置４の吐出部２７を電気かみそり２Ａの刃ヘッド１２と同じ高さ位置で固定できるようになっている。また体毛処理を行わない時は、カバー２６を下方にスライドさせると係止爪５０が上方のクリック係止部４８から抜けて下側のクリック係止部４９に係止することで、図２に示すように、吐出部２７を電気かみそり２Ａの刃ヘッド１２よりも下方に移動させた状態で固定できるようになっている。
【００４１】
さらに処理剤供給装置４の容器５を交換するためにカバー２６は取り外し可能とされる。本例では図４、図５に示すように、カバー２６の一側端２６ａ側に、凸部４６の上下両側に沿わせて切り込み溝５１がそれぞれ設けられており、凸部４６の近傍に突設した操作突起５２を指で図６（ａ）の矢印Ｂで示す内側方向に押すことで、上下の切り込み溝５１，５１で囲まれたカバー部分２６ｄ（図４）が内側方向に撓んで凸部４６が一方のレール４４から外れるようになっている。このときカバー２６の一側端２６ａの凸部４６を除く部分２６ｃはレール４４に対して嵌合しない構造となっているため、凸部４６を外すだけで図６（ｂ）のようにカバー２６の一側端２６ａが一方のレール４４から外れるようになり、その後、カバー２６の他側端２６ｂの凸リブ４７を他方のレール４５から抜くだけで、カバー２６が取り外し可能となる。なおカバー２６の取り付けは、上記とは逆の操作で行うことができる。
【００４２】
しかして、体毛処理を行うにあたっては、図１の状態で電気かみそり２Ａの刃ヘッド１２を動作させて刃ヘッド１２を肌に当てる。このとき処理剤供給装置４の肌当て部６が肌に当たって押し下げられ、栓体８が流路７を開放して容器５内の処理剤が流路７を伝って吐出部２７に供給され、処理剤が刃ヘッド１２側に送出されるようになる。このとき、吐出部２７に連動して栓体８が流路７を開くので、処理剤をタイミング良く肌に供給できるようになる。また肌当て部６は回転自在な球体６ａで構成されているため、球体６ａの回転により処理剤が徐々に供給されて、均一に処理剤が肌に塗布されるようになる。しかも、吐出部２７は、図１に示すように、刃ヘッド１２に近接する方向に傾いているので、刃ヘッド１２の近くで処理剤を肌に供給できるようになり、そのうえ吐出部２７はフロートバネ４３によって電気かみそり２Ａの刃ヘッド１２に対してフロート自在となっているので、つまり、吐出部２７は電気かみそり２Ａ等の体毛処理装置２に対してフロート自在となっているので、体毛処理装置２の使用時には、処理剤供給装置４の吐出部２７と肌との密着性が向上することとなり、これにより肌当て部６が肌の凹面に対し追従しやすくなり、処理剤を肌に均一に塗布できると共に、塗布時の肌当たりをなめらかにすることができる結果、肌との滑りが良くなり、剃り残しを無くすことができるものである。また、吐出部２７がフロートにより上下動や傾斜するのに追従して、ゴム管２５は筒状部３５と吐出口５ａの間で弾性変形しながら流路７のシール状態を保持する。このように、ゴム管２５に伸縮自在な弾性材料を用いることにより、フロートの方向が変化しても柔軟に追従し、流路７のシール状態が確保できると共に、吐出部２７の動作が容器５に伝わるのを抑えることができるため、容器５の保持や加圧等の構造が容易になる。また、ゴム管２５自体がバネ性を有しているため、フロートバネ４３を廃止しても、吐出部２７をフロート自在にすることが可能である。
【００４３】
また、肌から器具を離した時には、吐出部２７が押上バネ１０によって押し上げられて栓体８が流路７を閉じ、処理剤の供給が止まる。つまり、押上バネ１０により吐出部２７が押し上げられると、この吐出部２７と連動して栓体８が流路７を閉じることによって、器具が肌に当っていない時には処理剤の吐出が止まり、無駄に処理剤を消費することがないので、処理剤を効率的に使用できるシステムとすることができる。
【００４４】
また、不使用時には、図６（ａ）（ｂ）に示すように、処理剤供給装置４のカバー２６が電気かみそり本体１１に対して着脱可能となっているため、処理剤供給装置４全体を電気かみそり本体１１から簡単に取り外すことができ、容器５の取り替えが容易となり、掃除もし易くなる。
【００４５】
本発明の他の実施形態を図１１〜図１８に示す。
【００４６】
図１１においては、ゴム管２５はフロート方向と略垂直方向に屈曲しており、その一端が筒状部３５に嵌め込んだ筒体２００にシール状態で連結され、他端が容器５の吐出口５ａに嵌め込んだ筒体２０１にシール状態で連結されて形成されている。ゴム管２５の中には別の小径のゴム管２５ａが設けられ、その一端が筒体２００の凹部３６ａにシール状態で嵌入され、他端が筒体２０１の凹部５ｂにシール状態で嵌入されている。このゴム管２５とゴム管２５ａとの間が流路７となっている。そして、吐出部２７が押し下げられた時には、図１２に示すように、ゴム管２５，２５ａはさらに大きく屈曲しながら流路７のシール状態を確保できるようになる。このように、吐出部２７のフロートに対して、ゴム管２５，２５ａの追従性やシール性が向上すると共に、多方向に吐出部２７がフロートしてもゴム管２５，２５ａが柔軟に追従して、流路７のシール状態を保つことができる。
【００４７】
図１３においては、ゴム管２５は蛇腹形状で形成されており、吐出部２７が押し下げられた時には、図１４に示すように、蛇腹形状が縮んで流路７のシール状態を確保できるようになる。また、図１５においては、ゴム管２５の上端と下端の径が異なる弾性体で形成されており、吐出部２７が押し下げられた時には、図１６に示すように、ゴム管２５は径が変化している部位で反転した形状に変形し、流路７のシール状態を確保する。これら図１３〜図１６においては、流路７の一部を構成するゴム管２５が伸縮自在であるため、容器５に対して吐出部２７がフロートしても、流路７のシール状態を保つことができる。また、吐出部２７がフロートしても容器５が動かないため、容器５の交換や容器５の保持、および容器５内の処理剤を絞り出す構造等を容易にすることができる。
【００４８】
なお、容器５の吐出口５ａと筒状部３５との連結は、前記実施形態のようなゴム管２５ではなく、図１７、図１８に示すような非弾性体からなる筒状体９７と筒体９５とをスライド自在に連結したものであってもよい。筒状体９７の一端は容器５の吐出口５ａとシール状態で連結しており、他端にはＯリング９６が取り付けられている。筒状部３５には筒体９５がシール状態で連結しており、筒体９５の他端はＯリング９６とシール状態で密着している。そして吐出部２７が押し下げられた時には、図１８に示すように、筒体９５がＯリング９６との密着部のシール状態を保ったままスライド下降する。すなわち、流路７は、筒体９５、Ｏリング９６、及び筒状体９７によって伸縮自在な構造となっている。また、吐出部２７が刃ヘッドに近接する方向に傾いた場合でも、筒体９５とＯリング９６の密着部を軸にして筒体９５が首降り自在に傾斜して、シール状態を保つことも可能である。また、筒体９５、Ｏリング９６、及び筒状体９７からなる伸縮自在な構造を複数個連結させるようにしてもよく、この場合、吐出部２７が傾斜した場合においてシール性を一層向上させることができる。
【００４９】
本発明の更に他の実施形態を図１９〜図２３に示す。
【００５０】
図１９〜図２１に示す例では、処理剤供給装置４全体がフロート自在な場合を示している。カバー２６の下端にはレール４４にスライド嵌合する支持板９８がスライド自在に取り付けられており、支持板９８と電気かみそり本体１１の受け台９９の間には圧縮コイルバネからなるフロートバネ４３が介在されている。支持板９８の上端は電気かみそり本体１１に設置されたリブ１２０によって、処理剤供給装置４の吐出部２７が電気かみそり２Ａの刃ヘッド１２と同じ高さの位置で、フロートバネ４３のバネ力に抗して保持されている。カバー２６の下端は支持板９８と係合しており、体毛処理時には、吐出部２７が肌に当たって処理剤供給装置４全体がフロートバネ４３のバネ力に抗して押し下げられてフロートする。このように処理剤供給装置４全体がフロート自在な場合においては、吐出部２７がフロートしても、吐出部２７と容器５の位置関係が変化しないため、流路７のシール性が安定する。しかも処理剤供給装置４全体がフロート自在となっているので、吐出部２７と容器５間の流路７の変形を防止でき、流路７のシール性が一層向上する。
【００５１】
また、図２０、２１においては、カバー２６に突設された係止爪５０が、処理剤供給装置４使用時には係合しないが、吐出部２７をフロート下端まで押し下げるとクリック係止部４９（図２０）に係止して、カバー２６の動きは止められる構造となっている。このように、処理剤供給装置４を使用せずに電気かみそりを使用する場合には、吐出部２７のフロートを下端でクリック係止させることができる。しかして、処理剤を使用しない場合は、吐出部２７が肌に当たらないように、吐出部２７をフロート下端の位置で仮保持できるため、使い勝手がよくなる。また本実施形態においては、カバー２６と電気かみそり本体１１に係止爪５０及びクリック係止部４９を設置したが、図７、図８の実施形態のように吐出部２７が容器５に対してフロート自在な場合においては、係止爪５０及びクリック係止部４９と同様なクリック係止構造を吐出部２７と固定枠４０とに設置してもよく、この場合も上記と同様の効果が得られる。
【００５２】
図２２、図２３は吐出部２７と容器５が体毛処理装置２に対して一体でフロート自在な場合の実施形態である。カバー２６の内部には、加圧手段９の加圧力に抗して容器５を保持する容器保持部１２１が電気かみそり本体１１に対してスライド自在に設置されており、容器保持部１２１は上端にて吐出部２７と係合している。容器保持部１２１と電気かみそり本体１１の受け台９９の間には圧縮コイルバネからなるフロートバネ４３が介在し、体毛処理時には、吐出部２７が肌に当たって、吐出部２７、容器５、加圧手段９、及び容器保持部１２１が一体でフロートバネ４３のバネ力に抗して押し下げられてフロートする。このようにカバー２６の内部にスライド自在な容器保持部１２１を設けることにより、処理剤供給装置４の内部のみで吐出部２７と容器５が体毛処理装置２に対して一体でフロート自在とすることができるため、吐出部２７と容器５間の流路７の変形を防ぎ、流路７のシール性が安定すると共に、上記図１９〜図２１のように処理剤供給装置４全体がフロートすることによる体毛処理器具の持ち難さを改善できるようになる。
【００５３】
本発明の更に他の実施形態を図２４〜図２７に示す。図２４においては、吐出部２７が容器５に対してフロート自在な構造において、吐出部２７には肌あたり塗布体１０１が挿入されており、蓋体１０２が肌あたり塗布体１０１との間に、処理剤を一時的に溜めるための空間１０４を設けるように取り付けられている。肌あたり塗布体１０１の肌との接触面は凹凸を有している。本例では、吐出孔３４の出口近傍に突起部１１１が複数形成されており、この突起部１１１により、肌により吐出孔３４が閉じられて、処理剤が吐出されにくくなることを防止できるようになっている。また上記蓋体１０２には中空の筒状部３５が一体に設けられており、この筒状部３５はゴム管２５によって吐出口５ａと連結されている。流路７は蓋体１０２の開口部１０３に連通しており、開口部１０３の空間１０４側の面に弁体１０５を設けている。空間形成体１０６は肌あたり塗布体１０１の空間１０４側に固定されている。また肌あたり塗布体１０１の開口部２００を介して下側の空間１０４と上側の処理剤を一時的に溜めるための空間３２とが連通していると共に、開口部２００の空間３２側に別の弁体１０７が設けられている。肌あたり塗布体１０１と蓋体１０２との間には圧縮コイルバネからなる押上バネ１０が介在されている。
【００５４】
しかして、体毛処理時には図２５に示すように、肌あたり塗布体１０１が肌に当たって押上バネ１０のバネ力に抗して押し下げられることによって、空間１０４が圧縮され、内圧が上がるので弁体１０７が開き、空間１０４に蓄えられた処理剤が空間３２を通って吐出孔３４より吐出され、肌に塗布される。肌から器具を離した際、押上バネ１０によって肌あたり塗布体１０１が上方に付勢され、これにより空間１０４の空間容積が増え、気圧が低くなるので弁体１０７は閉じ、かわりに弁体１０５が開き、吐出口５ａからゴム管２５を通り筒状部３５より空間１０４に処理剤が注入されることになる。また、肌あたり塗布体１０１が肌に当たって押上バネ１０のバネ力に抗して押し下げられると、空間１０４が圧縮されて弁体１０７が開き、空間１０４に蓄えられた処理剤が空間３２を通って吐出孔３４より吐出され、肌に塗布される。また体毛処理使用中に再び、肌から肌あたり塗布体１０１が離れると、空間１０４に処理剤が注入されることを繰り返す。ここでＯリング１０８は空間１０４の気密性を向上させ、またＯリング１０９は肌あたり塗布体１０１と空間形成体１０６との密着性を向上させるものである。また突起部１１１は肌に肌あたり塗布体１０１をあてた時、吐出孔３４が肌により閉じられ処理剤が吐出されにくくなるのを防ぐためのものである。この結果、容器５に貯蔵した処理剤を吐出する場合、容器５に加圧手段９（図１）を設ける必要なく肌に塗布することができる。
【００５５】
さらに図２６は別の例を示している。本例では吐出部２７が容器５に対してフロート自在な構造において、前記蓋体１０２に肌あたり塗布体となる弾性カバー１１０を被せて肌あたり塗布体１０１が構成され、弾性カバー１１０の外周は密閉されている。蓋体１０２の開口部１０３には空間１０４側に弁体１０５を設けている。弾性カバー１１０には空間１０４の外側、すなわち肌に当たる側に吐出孔３４を開閉する別の弁体１０７が設けられている。図２７に示すように、体毛処理時、肌に弾性カバー１１０を当てることにより空間１０４が圧縮され、内圧が上がるので弁体１０７が開き、空間１０４に蓄えられた処理剤が吐出され、肌に塗布される。突起部１１１は、弁体１０７が処理剤を吐出する際、肌が弁体１０７を押えて弁体１０７が開くのを阻害しないようにするため、また肌と弁体１０７が直接当たらないようにするために弁体１０７の近傍に設けられている。肌から器具を離した際、弾性カバー１１０は元の状態に自己復帰しようとする。これにより空間１０４の空間容積が増え、気圧が低くなるので弁体１０７は閉じ、かわりに弁体１０５が開き、吐出口５ａからゴム管２５を通り筒状部３５より空間１０４に処理剤が注入されることになる。肌が弾性カバー１１０を押し下げると処理剤が再び吐出され、同様に繰り返される。
【００５６】
なお、前記各実施形態では本発明に係る処理剤供給装置４を電気かみそり２Ａに取り付けた場合を説明したが、脱毛装置２Ｂに取り付けた場合においても、図２８、図２９に示すように、処理剤供給装置４の吐出部２７を脱毛ヘッド１３に対してフロート自在且つ上下動自在に取り付けることができる構造となり、上記電気かみそり２Ａの場合と同様な作用効果が得られるものである。
【００５７】
また前記実施形態では体毛処理装置２として電気かみそり２Ａと脱毛装置２Ｂとを例示したが、本発明に係る処理剤供給装置４は、電気かみそり２Ａや脱毛装置２Ｂ以外に、毛の切断又は引き抜きを行うための体毛処理機能を備えた器具類にも広く適用可能になる。
【００５８】
【発明の効果】
上述のように請求項１記載の発明にあっては、毛の切断又は引き抜きを行うための体毛処理部を有する体毛処理装置と、肌の手入れ処理を行う処理剤を体毛処理部側に供給するための処理剤供給装置とを備えた体毛処理器具であって、上記処理剤供給装置は、処理剤を貯蔵する容器と、処理剤を肌や体毛処理装置に塗布する吐出部と、容器内の処理剤を吐出部に送出するための流路とを備えると共に、吐出部は体毛処理装置に対してフロート自在であるので、体毛処理装置の使用時には、処理剤供給装置の吐出部と肌との密着性が向上することにより、処理剤を肌に均一に塗布できると共に、塗布時の肌当たりをなめらかにすることができる。また、処理剤を使用しない場合には少なくとも吐出部が肌に当たらないようにフロート下端の位置で仮保持されるので、処理剤を使用しない場合は、吐出部が肌に当たらないため、使い勝手がよくなる。
【００５９】
また請求項２記載の発明は、請求項１記載の効果に加えて、吐出部は容器に対してフロート自在であるので、吐出部がフロートしても容器が動かないため、容器交換や容器保持、および容器内の処理剤を絞り出す構造等を容易にすることができる。
【００６０】
また請求項３記載の発明は、請求項２記載の効果に加えて、流路の一部が伸縮自在であるので、容器に対して吐出部がフロートしても、流路は伸縮自在であるので流路のシール状態を保つことができる。
【００６１】
また請求項４記載の発明は、請求項３記載の効果に加えて、流路を形成する材料の一部が弾性体であるので、多方向に吐出部がフロートしても弾性体が柔軟に追従して、流路のシール状態を保つことができる。
【００６２】
また請求項５記載の発明は、請求項４記載の効果に加えて、流路を形成する材料の一部がフロート方向とは略垂直方向に屈曲可能であるので、吐出部のフロートに対して、弾性体の追従性やシール性が向上する。また弾性体の変形に対する伸縮反力を小さくすることにより、肌への押付力が小さくても、吐出部が確実にフロートして肌に密着するため、処理剤を肌により均一に塗布できると共に、塗布時の肌当たりも向上する。
【００６３】
また請求項６記載の発明は、請求項４記載の効果に加えて、流路を形成する材料の一部の径が膨張可能であるので、請求項５と同様な作用効果が得られる。
【００６４】
また請求項７記載の発明は、請求項４記載の効果に加えて、流路を形成する材料の一部が蛇腹形状であるので、請求項５と同様な作用効果が得られる。
【００６５】
また請求項８記載の発明は、請求項４記載の効果に加えて、流路を形成する材料の一部における一端側の径が他端側の径よりも大きいので、請求項５と同様な作用効果が得られる。
【００６７】
また請求項９記載の発明は、請求項１記載の効果に加えて、吐出部を含む処理剤供給装置全体が体毛処理装置に対してフロート自在であるので、処理剤供給装置全体がフロート自在とすることにより、吐出部と容器間の流路の変形を防ぎ、流路のシール性が向上する。
【００６８】
また請求項１０記載の発明は、請求項１記載の効果に加えて、吐出部と容器とが一体で、体毛処理装置に対してフロート自在であるので、吐出部と容器とが一体でフロートすることによって、吐出部と容器間の流路の変形を防ぎ、流路のシール性が向上する。
【００６９】
また請求項１１記載の発明は、請求項１記載の効果に加えて、吐出部は肌に当たって押し下げられる肌当て部を有すると共に、肌当て部が押し下げられた時のみ流路を開にする栓体を有するので、体毛処理装置の使用時には、処理剤供給装置の肌当て部を肌に当てて押し下げるだけで、処理剤の流路が開かれるようになる。従って、器具の動作にあわせて処理剤が送出されて、均一に処理剤が肌に塗布されることに加えて、肌から器具を離したときには、流路が閉じて処理剤の供給が停止されるので、処理剤を効率的に使用することができる。
【００７０】
また請求項１２記載の発明は、請求項１記載の効果に加えて、処理剤を貯蔵する容器を加圧するための加圧手段を備えているので、容器がどのような状態で使用されても、つまり、上向きや下向き又は横向きに使用されても、加圧手段によって処理剤を絞り出すことで、処理剤を肌に均一に塗布することができる。
【００７１】
また請求項１３記載の発明は、請求項１記載の効果に加えて、容器の吐出口と吐出部との間に処理剤を一時的に溜める空間が設けられ、容器の吐出口と空間との間、及び空間と吐出部との間に、処理剤が逆流するのを防止するための弁体を有するので、体毛処理装置の使用時には、弁体による逆流防止効果によって空間内の処理剤を吐出部に導くことができ、容器がどのような状態で使用されても、つまり、上向きや下向き又は横向きに使用されても、容器を加圧する手段を必要とせずに、処理剤を供給することができる。
【００７２】
また請求項１４記載の発明は、請求項１３記載の効果に加えて、吐出部のフロートと連動して弁体が開閉するので、器具の動作にあわせて処理剤が送出されて、均一に処理剤を肌に塗布することができる。
【００７３】
また請求項１５記載の発明は、請求項１３又は１４記載の効果に加えて、吐出部の肌との接触面が凹凸を有するので、吐出部の肌への接触面が凹凸を有することにより、肌により吐出部が閉じられて、処理剤が吐出されにくくなることを防止することができる。
【図面の簡単な説明】
【図１】本発明の実施形態の一例を示す側面断面図である。
【図２】同上の処理剤供給装置を電気かみそりの刃ヘッドよりも下方に押し下げた状態を説明する側面断面図である。
【図３】同上の処理剤供給装置の分解斜視図である。
【図４】同上の電気かみそりに処理剤供給装置を取り付けた状態を説明する背面図である。
【図５】同上の処理剤供給装置のカバーの斜視図である。
【図６】（ａ）（ｂ）は図４のＡ−Ａ線断面図であり、カバーの着脱方法を説明する図である。
【図７】本発明の他の実施形態を示し、（ａ）は肌当て部が肌に当たっていない状態を説明する正面断面図、（ｂ）は側面図である。
【図８】（ａ）は図７の肌当て部が肌に当たって押し下げられた状態を説明する正面断面図、（ｂ）は側面図である。
【図９】本発明の更に他の実施形態を示し、（ａ）は栓体が流路を閉じた状態を説明する正面断面図、（ｂ）は側面断面図である。
【図１０】（ａ）は図９の栓体が流路を開いた状態を説明する正面断面図、（ｂ）は側面断面図である。
【図１１】本発明の更に他の実施形態を示す正面断面図である。
【図１２】図１１の肌当て部が肌に当たって押し下げられた状態を説明する正面断面図である。
【図１３】本発明の更に他の実施形態を示す正面断面図である。
【図１４】図１３の肌当て部が肌に当たって押し下げられた状態を説明する正面断面図である。
【図１５】本発明の更に他の実施形態を示す断面図である。
【図１６】図１５の肌当て部が肌に当たって押し下げられた状態を説明する断面図である。
【図１７】本発明の更に他の実施形態を示す正面断面図である。
【図１８】図１７の肌当て部が肌に当たって押し下げられた状態を説明する正面断面図である。
【図１９】本発明の更に他の実施形態を示す側面断面図である。
【図２０】図１９の背面図である。
【図２１】図１９の処理剤供給装置全体が押し下げられた状態を説明する側面断面図である。
【図２２】本発明の更に他の実施形態を示す側面断面図である。
【図２３】図２１の吐出部と容器とが一体に押し下げられた状態を説明する側面断面図である。
【図２４】本発明の更に他の実施形態を示す断面図である。
【図２５】図２４の処理剤が吐出する場合を説明する断面図である。
【図２６】本発明の更に他の実施形態を示す断面図である。
【図２７】図２６の処理剤が吐出する場合を説明する断面図である。
【図２８】同上の処理剤供給装置を脱毛装置に取り付けた場合を説明する一部破断した側面図である。
【図２９】同上の処理剤供給装置を脱毛ヘッドよりも下方に押し下げた状態を説明する一部破断した側面図である。
【符号の説明】
１  体毛処理器具
２  体毛処理装置
３  体毛処理部
４  処理剤供給装置
５  容器
５ａ  吐出口
６  肌当て部
７  流路
８  栓体
９  加圧手段
２７  吐出部
３２，１０４  空間
１０５，１０７  弁体
【図１】
0003722014.tif 000002
【図２】
0003722014.tif 000003
【図３】
0003722014.tif 000004
【図４】
0003722014.tif 000005
【図５】
0003722014.tif 000006
【図６】
0003722014.tif 000007
【図７】
0003722014.tif 000008
【図８】
0003722014.tif 000009
【図９】
0003722014.tif 000010
【図１０】
0003722014.tif 000011
【図１１】
0003722014.tif 000012
【図１２】
0003722014.tif 000013
【図１３】
0003722014.tif 000014
【図１４】
0003722014.tif 000015
【図１５】
0003722014.tif 000016
【図１６】
0003722014.tif 000017
【図１７】
0003722014.tif 000018
【図１８】
0003722014.tif 000019
【図１９】
0003722014.tif 000020
【図２０】
0003722014.tif 000021
【図２１】
0003722014.tif 000022
【図２２】
0003722014.tif 000023
【図２３】
0003722014.tif 000024
【図２４】
0003722014.tif 000025
【図２５】
0003722014.tif 000026
【図２６】
0003722014.tif 000027
【図２７】
0003722014.tif 000028
【図２８】
0003722014.tif 000029
【図２９】
0003722014.tif 000030